(57)【要約】【課題】  先端部の形状が異なる種々のフックに対する着脱が容易で不用意に外れてしまうことがなく、製造も容易な掲示具を提供すること。【解決手段】  本発明は、棒状のフックＦの先端部に形成された起立部Ｆ２と、その起立部Ｆ２の近傍位置の直線状部Ｆ１とに対して着脱可能に固定される掲示具１０であって、フックＦの直線状部Ｆ１の両側面と底面に対応し、上面が開放状態とされた第１のフック保持部１と、前記フックＦの先端部が当接する前面壁部２ａを有し、前記起立部２ａの両側面と対応する第２のフック保持部２と、前記両フック保持部１，２の接合部付近において、前記第１のフック保持部１の上面を部分的にのみ閉塞する抜け止め部３と、前記第１のフック保持部１の後端部〜中央部付近において前記フックＦの直線状部Ｆ１を挟み込んで当該直線状部Ｆ１を前記第１のフック保持部１から抜け出さないようにロックする係止部６とを備えた掲示具１０である。【選択図】図１
2015085093.tif 000002
【特許請求の範囲】
【請求項１】
棒状のフックの先端部が上方へ曲げられることで形成された起立部と、その起立部の近傍位置の直線状部とに対して着脱可能に固定される掲示具であって、
棒状のフックの直線状部の両側面と底面に対応し、上面が開放状態とされた第１のフック保持部と、
前記フックの先端部が当接する前面壁部を有し、前記起立部の両側面と対応する第２のフック保持部と、
前記第１のフック保持部と第２のフック保持部の接合部付近において、前記第１のフック保持部の上面を部分的にのみ閉塞する抜け止め部と、
前記第１のフック保持部の後端部〜中央部付近において前記フックの直線状部を挟み込んで当該直線状部を前記第１のフック保持部から抜け出さないようにロックする係止部と
を備え、
前記第１のフック保持部の上面側から前記起立部を斜め方向にて挿入し、さらに抜け止め部を避けるようにして当該抜け止め部の下方から第２のフック保持部内へ前記起立部を挿入し、フックの下方から第１のフック保持部の後端部を上方へ相対回動させてフックの直線状部に嵌め込むようにし、前記係止部にて当該直線状部を挟み込むことができるようにしたことを特徴とする掲示具。
【請求項２】
前記第１のフック保持部及び第２のフック保持部は、抜け止め部の下方位置に透孔が形成されているものであることを特徴とする請求項１に記載の掲示具。
【請求項３】
前記前記抜け止め部は、前記第２のフック保持部側の下面に角落し部が形成されていることを特徴とする請求項１又は２に記載の掲示具。
【請求項４】
前端部分に陳列物に関する情報を記載した掲示板を保持できる掲示板保持部を有していることを特徴とする請求項１〜３の何れか一項に記載の掲示具。
【請求項５】
側方又は前方への膨出部を備え、当該膨出部に挿通孔を形成したものであることを特徴とする請求項１〜４の何れか一項に記載の掲示具。
【請求項６】
全体が上下方向の割型のみから一体成形できるものであることを特徴とする請求項１〜５の何れか一項に記載の掲示具。
【発明の詳細な説明】
【技術分野】
【０００１】
本発明は、掲示具に関するものであって、より詳細には、店舗において商品などを吊り下げて陳列するための棒状のフックの先端部に固定されるシングルフック用の掲示具に関するものである。
【背景技術】
【０００２】
従来、店舗において商品を吊り下げて陳列するために、棒状のフックが広く用いられており、それらのフックの先端部には、商品に関する情報を顧客に表示するために、掲示具を装着することが提案されている（特許文献１〜特許文献６）。
【０００３】
これらの掲示具は、通常、金属からなる丸棒状のフックの先端部に対して着脱可能に固定される合成樹脂製の部材から構成されており、商品の名称、品番、価格などが記載されたプレートを安定的に保持するために、フックの先端部にガタつくことなく固定できることが求められている。
【０００４】
また、一旦フックの先端部に固定された掲示具は、顧客が触れても簡単に外れてはならないものであるが、商品の入れ替えや陳列方法の変更などに伴って掲示具の位置を変更する必要もあり、着脱が容易であることも求められている。
【０００５】
さらに、フックの先端部は、通常、上方へ折り曲げられているのであるが、そのフック先端部の角度についての統一規格はなく、１６０度〜１３０度程度のものが多いとはいえ、直角のものも混在しており、特に様々な商品を取り扱う大型店においては先端形状の異なる全てのフックに対して固定できる掲示具が求められている。
【０００６】
しかしながら、従来の掲示具においては、先端形状の異なる全てのフックに対して固定でき、かつ、上下方向、左右方向又は前後方向の力が加わったり、フックを軸心とする回転方向の力が加わっても掲示具が不用意に外れてしまうことがないものは提案されていない。
【０００７】
また、フックに対して強固に固定できる掲示具は、その形状が複雑となりがちであり、２つ割りの金型にて一体成形でき、製造の手間とコストを削減できる掲示具は提案されていない。
例えば、特許文献１に記載のものは、フックを軸心とする回転方向の力が加わると掲示具が不用意に回転してしまうという問題や、形状が複雑で２つ割りの金型にて一体成形できるものではないという問題がある。
【０００８】
また、特許文献２〜６に記載のものは、フックの上方から掲示具を被せるようにして掲示具をフックに固定する構成を採用しており、通常の使用時において掲示具に下から上へ引く力が加わると、掲示具がフックから外れ落ちてしまうという問題がある。
特に、フックの先端部が直角に曲げられていない場合には、掲示具を前方に引く力が加わると、掲示具がフックの先端部から浮き上がるようにして簡単に外れ落ちてしまうという問題がある。
【先行技術文献】
【特許文献】
【０００９】
【特許文献１】特開平７−６７７５２号公報
【特許文献２】特許第３７９９０５２号公報
【特許文献３】実開平６−４４４７２号公報
【特許文献４】実開平６−５５６０号公報
【特許文献５】実開平６−５０５５７号公報
【特許文献６】実用新案登録第３１８４４４３号公報
【発明の概要】
【発明が解決しようとする課題】
【００１０】
上記にて説明したとおり、従来の掲示具においては、フックの先端部に対する固定状態を強めるようにすると、着脱が困難となったり、形状が複雑となり製造に手間とコストがかかるという課題がある。
従って、形状が複雑ではなく、装着が容易な従来の掲示具においては、通常の使用時において掲示具に下から上へ引く力が加わったり、前方に引く力が加わると、掲示具がフックから外れ落ちてしまうという課題がある。
また、フックの先端部が１６０度〜１３０度程度となるように斜めに曲げられている場合であっても、直角に曲げられている場合であっても固定できる掲示具が提案されていないという課題がある。
【００１１】
そこで、本発明の目的は、従来の掲示具における上記の課題を全て解決し、先端部の形状が異なる種々のフックに対応して容易に着脱することができ、かつ、通常の使用時において不用意に外れてしまうことがなく、容易かつ低コストにて製造できる掲示具を提供することにある。
【課題を解決するための手段】
【００１２】
本発明は、「棒状のフックの先端部が上方へ曲げられることで形成された起立部と、その起立部の近傍位置の直線状部とに対して着脱可能に固定される掲示具であって、棒状のフックの直線状部の両側面と底面に対応し、上面が開放状態とされた第１のフック保持部と、前記フックの先端部が当接する前面壁部を有し、前記起立部の両側面と対応する第２のフック保持部と、前記第１のフック保持部と第２のフック保持部の接合部付近において、前記第１のフック保持部の上面を部分的にのみ閉塞する抜け止め部と、前記第１のフック保持部の後端部〜中央部付近において前記フックの直線状部を挟み込んで当該直線状部を前記第１のフック保持部から抜け出さないようにロックする係止部とを備え、
前記第１のフック保持部の上面側から前記起立部を斜め方向にて挿入し、さらに抜け止め部を避けるようにして当該抜け止め部の下方から第２のフック保持部内へ前記起立部を挿入し、フックの下方から第１のフック保持部の後端部を上方へ相対回動させてフックの直線状部に嵌め込むようにし、前記係止部にて当該直線状部を挟み込むことができるようにした掲示具。」を最も主要な特徴とするものである。
【００１３】
本発明の前記第１のフック保持部及び第２のフック保持部は、抜け止め部の下方位置に透孔が形成されているものであってもよい。
また、前記抜け止め部は、前記第２のフック保持部側の下面に角落し部が形成されているものであってもよい。
【００１４】
本発明の掲示具は、前端部分に陳列物に関する情報を記載した掲示板を保持できる掲示板保持部を有しているものであってもよい。
また、本発明の掲示具は、側方又は前方への膨出部を備え、当該膨出部に挿通孔を形成したものであってもよい。
さらに、本発明の掲示具は、好ましくは、全体が上下方向の割型のみから一体成形できるものである。
【発明の効果】
【００１５】
上記のように構成した本発明の掲示具は、フックの先端部を第１のフック保持部に差し込み、フックの下方から第１のフック保持部の後端部を上方へ相対回動させることで、係止部によりフックの直線状部を挟み込み、フックに対して簡単に装着することができる。
このフックに対する装着状態においては、前面壁部、抜け止め部、第１及び第２のフック保持部により、掲示具の上下前後左右及びフックを中心とする回転方向の動きを確実に規制することができる。
そして、この掲示具をフックから取り外すには、第１のフック保持部の後端部〜中央部付近を下方へ押し下げる必要があり、このような位置において下方に押し下げる力が加えられることは通常の掲示具の使用状態においてはほとんど無いため、掲示具がフックから不用意に外れてしまうことを防ぐことができる。
【００１６】
一方、掲示具をフックから取り外すには、第１のフック保持部の後端部〜中央部付近を下方へ押し下げることで係止部によるロックをワンタッチで解除してフックから掲示具を簡単に取り外すことができる。
【００１７】
本発明の掲示具において、前記第１のフック保持部及び第２のフック保持部は、抜け止め部の下方位置に透孔が形成されていることにより、抜け止め部を避けるようにして当該抜け止め部の下方から第２のフック保持部内へフックの起立部を挿入する操作、及び、当該起立部を抜き取る操作に支障が生じることを防ぐことができる。
【００１８】
また、前記抜け止め部が、前記第２のフック保持部側の下面に角落し部を備えていることによっても、抜け止め部を避けるようにして当該抜け止め部の下方から第２のフック保持部内へフックの起立部を挿入する操作、及び、当該起立部を抜き取る操作に支障が生じることを防ぐことができる。
【００１９】
本発明の掲示具において、前端部分に陳列物に関する情報を記載した掲示板を保持できる掲示板保持部を有しているものとすることで、掲示板を容易に装着することができる。
また、本発明の掲示具が、側方又は前方への膨出部を備え、当該膨出部に挿通孔を形成したものとすることで、その挿通孔を利用してハンガーなどを掛けることができる。
【００２０】
上記のとおり構成した本発明の掲示具は、掲示具の上下方向の割型のみによる樹脂成形にて容易に一体成形可能なものとすることができ、製造の手間と製造コストの低減を図ることができる。
【図面の簡単な説明】
【００２１】
【図１】図１は本発明を具体化した実施形態１の掲示具を示し、（Ａ）は斜視図、（Ｂ）は平面図、（Ｃ）は背面図、（Ｄ）は図１（Ｂ）に示すＸ−Ｘ線断面図、（Ｅ）は側面図である。
【図２】図２は本発明を具体化した実施形態２〜４の掲示具を示し、（Ａ）は実施形態２の掲示具の断面図、（Ｂ）は実施形態３の掲示具の断面図、（Ｃ）は実施形態４の掲示具の平面図である。
【図３】図３は本発明を具体化した実施形態１の掲示具をフックに装着する手順を示す図であって、掲示具の断面とフックの位置関係を示す側面図。
【図４】図４（Ａ）はフックの起立部を示す側面図、（Ｂ）は掲示板又はカードホルダーを取り付けた掲示具を示す図、（Ｃ）は形状の異なるフックの先端部を示す図、（Ｄ）はフックに掲示具を装着した状態を示す図である。
【図５】図５は本発明を具体化した掲示具と表示部材を示す側面図。
【図６】図６は本発明を具体化した実施形態６の掲示具を示し、（Ａ）は側面図、（Ｂ）は背面図、（Ｃ）は平面図である。
【図７】図７は本発明を具体化した実施形態７の掲示具を示し、（Ａ）は側面図、（Ｂ）は背面図、（Ｃ）は平面図である。
【図８】図８は本発明を具体化した実施形態８の掲示具を示し、（Ａ）は側面図、（Ｂ）は背面図、（Ｃ）は平面図である。
【発明を実施するための形態】
【００２２】
本発明は、「棒状のフックの先端部が上方へ曲げられることで形成された起立部と、その起立部の近傍位置の直線状部とに対して着脱可能に固定される掲示具であって、棒状のフックの直線状部の両側面と底面に対応し、上面が開放状態とされた第１のフック保持部と、前記フックの先端部が当接する前面壁部を有し、前記起立部の両側面と対応する第２のフック保持部と、前記第１のフック保持部と第２のフック保持部の接合部付近において、前記第１のフック保持部の上面を部分的にのみ閉塞する抜け止め部と、前記第１のフック保持部の後端部〜中央部付近において前記フックの直線状部を挟み込んで当該直線状部を前記第１のフック保持部から抜け出さないようにロックする係止部とを備え、
前記第１のフック保持部の上面側から前記起立部を斜め方向にて挿入し、さらに抜け止め部を避けるようにして当該抜け止め部の下方から第２のフック保持部内へ前記起立部を挿入し、フックの下方から第１のフック保持部の後端部を上方へ相対回動させてフックの直線状部に嵌め込むようにし、前記係止部にて当該直線状部を挟み込むことができるようにした掲示具。」であって、以下において説明する実施の形態などにより好適に具体化することができる。
【００２３】
以下、本発明を具体化した掲示具（シングルフック用掲示具）の実施形態１〜８について図面に従って説明する。
なお、本発明の掲示具の実施形態２〜８は、実施形態１の掲示具１０を部分的にのみ変更した掲示具２０〜８０であり、掲示具１０と同様の構成については掲示具１０と同一の符号を付して説明を省略している。
【００２４】
図１に示すように、本発明の実施形態１の掲示具１０は、好ましくはポリアセタール（ＰＯＭ）のような強度と耐久性に優れた合成樹脂からなる一体成形品であって、通常、直径約６ｍｍ程度の鋼線からなる棒状のフックＦの先端部に対して着脱可能に装着されるものである。
【００２５】
前記フックＦは、商品、展示物などを吊り下げて陳列するために略水平方向に設置されるものであって、直線状部Ｆ１と、当該直線状部Ｆ１の先端部が上方へ曲げられることで形成された起立部Ｆ２とを有しているが、起立部Ｆ２が曲げられている角度αは、通常約９０度〜１３０度程度になっている（図４（Ａ）参照）。
【００２６】
そして、本発明の掲示具１０は、以下にて説明するとおり、フックＦの先端部が曲げられている角度αが異なる起立部Ｆ２に対して着脱可能となっている。
具体的には、フックＦの先端部が曲げられている角度αとして９０度〜１７５度程度のものまで対応可能である。
【００２７】
前記掲示具１０は、棒状のフックＦの直線状部Ｆ１の両側面と底面に接するように対応し、上面が開放状態とされた第１のフック保持部１と、前記フックＦの先端部（起立部Ｆ２）が当接する前面壁部２ａを有し前記起立部Ｆ２の両側面と接するように対応する第２のフック保持部２とを有している。
【００２８】
この実施形態１において、前記第１のフック保持部１は、左右方向の断面が略Ｕ字状の細長い溝状に形成されており、前記第２のフック保持部２は、前記第１のフック保持部１と連続する溝状であって、かつ、起立部Ｆ２の形状に合うように前方ほど高くなる直角三角形状に形成されている。
【００２９】
前記第１のフック保持部１と第２のフック保持部２の接合部付近には、前記第１のフック保持部１の上面を部分的にのみ閉塞し、前記掲示具１０が前方〜上方へ抜け出すことを防ぐ抜け止め部３が形成されている。
この抜け止め部３は、前記第２のフック保持部側の下面に角落し部３ａを備えており、抜け止め部３を避けるようにして当該抜け止め部３の下方から第２のフック保持部２内へ前記起立部Ｆ２を挿入する操作、及び、当該起立部Ｆ２を抜き取る操作に支障が生じることを防ぐことができるようになっている（図３（Ｃ）参照）。
【００３０】
また、前記角落し部３ａを形成することにより、前記抜け止め部３の前後方向の寸法を大きくすることができ、掲示具１０の強度の向上とコンパクト化を図ることができる。
なお、前記抜け止め部３は、図２（Ａ）に示す実施形態２の掲示具２０のように、前記第１のフック保持部１の前端部付近から第２のフック保持部２の後端部付近に形成されるものであってもよい。
【００３１】
また、前記掲示具１０は、前記抜け止め部３の下方位置に当たる前記第１のフック保持部１に透孔４が形成されていることによっても、第２のフック保持部２内へ前記起立部Ｆ２を挿入する操作、及び、当該起立部Ｆ２を抜き取る操作に支障が生じることを防ぐことができる。
【００３２】
この実施形態１において、前記掲示具１０は、前記第１のフック保持部１の側方に突出する膨出部５を備えており、当該膨出部５には本件出願人が特開２０１０−１０７８３６にて提案した表示部材Ｈ又は通常の衣料用ハンガーなどを掛けることができる挿通孔５ａが形成されている（図５（Ａ）、図５（Ｂ）参照）。
【００３３】
前記掲示具１０は、前記第１のフック保持部１の後端部に対応する位置において、前記フックＦの直線状部Ｆ１を挟み込んで当該直線状部Ｆ１を前記第１のフック保持部１から抜け出さないようにロックする左右一対の係止部６を備えている（図１（Ｃ）参照）。
この一方の係止部６は、前記第１のフック保持部１の後端部に底部を形成しないことで設けられた弾性変形可能なバネ部６ａの内側に楔状の突起を形成することで設けられており、他方の係止部６は、前記膨出部５の後端部から細く突出するように形成されることで設けられた弾性変形可能なバネ部６ｂの内側に楔状の突起を形成することで設けられている。
【００３４】
前記係止部６を形成する位置は、掲示具の通常の使用時においてフックＦとの係合が不用意に外れてしまわないように、かつ、前記抜け止め部３を支点とする「てこの原理」をも活用することによって前記バネ部６ａ，６ｂを変形させて直線状部Ｆ１を挟み込むことができるように、前記第１のフック保持部１の後端部〜中央部付近に形成することが望ましい。
【００３５】
なお、図２（Ｂ）に示す実施形態３の掲示具３０のように、係止部６を前記第１のフック保持部１の中央部付近に形成してもよい。この場合、当該係止部６の下方に当たる前記第１のフック保持部１の底部に型抜き孔７を形成しておくとよい。
さらに、図２（Ｃ）に示す実施形態４の掲示具４０のように、前記第１のフック保持部１の後端部から突出するように前記バネ部６ａを２個形成し、その内側に係止部６を形成してもよい。
【００３６】
上記のとおり構成された本発明の掲示具１０〜４０は、その前端部分である前面壁部２ａの外面に陳列物に関する情報を記載した掲示板又はカードホルダーＰを接着剤又は両面テープなどを用いて固定したり、掲示具１０〜４０と一体成形にて掲示板又はカードホルダーＰを設けることができる（図４（Ｂ）参照）。
また、一体成形される前面壁部２ａを左右及び上方に拡大することで、ラベル又はカードを貼り付けることができるようにしてもよい。
【００３７】
図５（Ｃ）に示す本発明の実施形態５の掲示具５０は、掲示板又はカードホルダーＰを前面壁部２ａから前方へ突出するように設けている。従って、この掲示具５０は、前記膨出部５を省略してもよいようになっている。
この掲示板又はカードホルダーＰは、接着剤又は両面テープなどにて固定するか、掲示具５０と一体成形することなどにより適宜設けることができる。
【００３８】
本発明の掲示具は、その前端部分に陳列物に関する情報を記載した掲示板又はカードホルダーＰを簡単に着脱可能に保持できるようにした突片又はクリップなどからなる掲示板保持部を備えたものとすることができ、図６に示す実施形態６の掲示具６０は、前面壁部２ａの下端部から前方に突出し上方に延びる断面Ｌ字状の突片からなる掲示板保持部８を備えている。
前記突片からなる前記掲示板保持部８による掲示板又はカードホルダーＰの保持は、嵌合による固定又は前面壁部２ａとの間に挟み込むことによる固定など、適宜の方法を採用できる。
【００３９】
図７に示す実施形態７の掲示具７０は、前記掲示具１０に形成されていた前記第１のフック保持部１の側方に突出する膨出部５に代えて、前面壁部２ａの前方に突出する膨出部５を備えており、当該膨出部５の挿通孔５ａには前記と同様に、表示部材Ｈ又は通常の衣料用ハンガーなどを掛けることができる。
【００４０】
図８に示す実施形態８の掲示具８０は、前記掲示具１０に形成されていた膨出部５を前記第１のフック保持部１の両側方に備えており、当該膨出部５の挿通孔５ａには前記と同様に、表示部材Ｈ又は通常の衣料用ハンガーなどを掛けることができる。
【００４１】
上記のとおり構成した本発明の実施形態１〜８の掲示具１０〜８０は、掲示具の上下方向の割型のみから全体を一体成形することで、容易かつ低コストにて製造できる。
なお、前記透孔４を形成しない場合、又は、透孔４に代えて凹所を形成した場合には、掲示具１０の上下方向の割型のみから全体を一体成形することができなくなり、金型を増やすか、切削加工などをする必要が生じる。
【００４２】
本発明を具体化した前記掲示具１０は、図３（Ａ）〜（Ｄ）に示す手順にてフックＦの先端部に対して簡単に装着することができ、その逆の手順にてフックＦの先端部から簡単に取り外すことができる。これは、他の実施形態の掲示具２０〜８０も同様である。
【００４３】
即ち、前記掲示具１０をフックＦの先端部に対して装着するには、まず、図３（Ａ）、（Ｂ）に示すように、前記第１のフック保持部１の上面側からフックＦの起立部Ｆ２を斜め方向にて挿入する。
そして、図３（Ｃ）に示すように、抜け止め部３を避けるようにして当該抜け止め部３の下方から第２のフック保持部２内へ前記起立部Ｆ２を挿入し、図３（Ｄ）に示すように、フックＦの下方から第１のフック保持部１の後端部を上方へ相対回動させてフックの直線状部Ｆ１に嵌め込むようにし、前記係止部６にて当該直線状部Ｆ１を挟み込んでロックする。
【００４４】
上記からも明らかなとおり、本発明の掲示具１０〜８０においては、その後端部を上方へフックＦに押し当てるように回動することでフックＦに対してワンタッチで簡単に装着でき、一旦フックＦに対して装着した後は、後端部を下方に押し下げる方向の力が加わらない限り、フックＦから外れることはない。
【００４５】
そして、この種の掲示具の通常の使用状態においては、その後端部に下方に押し下げる方向の力が加わることはまれであり、フックＦに対する掲示具１０〜８０の装着状態を安定して維持することができる。
即ち、本発明の掲示具１０〜８０は、図１（Ａ）及び（Ｃ）に示すように、矢印ア，イの前後方向、矢印ウ，エの上下方向、矢印オ，カの左右方向又はフックＦを軸心とする回転方向の力が加えられても、係止部６によるロックは解除されることはない。
【００４６】
さらに、膨出部５の挿通孔５ａに表示部材Ｈ又は通常の衣料用ハンガーなどを掛けた場合であっても、表示部材Ｈなどの荷重は、第１のフック保持部１の前端部〜抜け止め部３付近に加えられるだけであり、係止部６によるフックＦに対するロック状態が解除されることはない。
即ち、図３（Ｄ）における矢印キ方向の力では係止部６によるフックＦに対するロック状態が解除されることはなく、フックＦに対する掲示具１０〜８０の装着状態を安定して維持することができる。
【００４７】
なお、本発明の掲示具１０〜８０は、前面壁部２ａと隣接する第２のフック保持部２の底部に係合孔９が透設されており、この係合孔９及び前記透孔４にフックＦの起立部Ｆ２を嵌め込むことができる。
従って、図４（Ｃ）及び（Ｄ）に示すように、先端部に９０度曲げられた２個の起立部Ｆ２を有しているフックＦに対し、上方から掲示具１０〜８０を装着することができる。
この場合、掲示具１０〜８０は、下から上へ引き抜くような力が加わると、フックＦから外れることになる。
【００４８】
本発明は、上記実施形態に限定されるものではなく、本発明の趣旨を逸脱しない範囲で全体形状、各部の断面形状、角度、配置などを適宜変更したり、ＰＯＭ以外の強度と耐久性に優れた他の合成樹脂から構成するなど、適宜変更して実施してもよい。
例えば、第２のフック保持部２の全体形状を四角形状又は扇型に変更したり、前面壁部２ａの内面又は外面の角度（傾斜）を変更して実施してもよい。
なお、本発明の掲示具が装着されるフックについては、金属製のものに限られるものでは無く、例えば、起立部が別体の樹脂から構成されたものであってもよい。
【産業上の利用可能性】
【００４９】
本発明は、主に店舗において商品を吊り下げて陳列するためのフックの先端部に装着することで、商品に関する情報を記載した掲示板、カードホルダー又は衣料用ハンガーを保持又は固定できる掲示具として利用可能である。
【符号の説明】
【００５０】
１０    掲示具（実施形態１）
１    第１のフック保持部
２    第２のフック保持部
２ａ  前面壁部
３    抜け止め部
３ａ  角落し部
４    透孔
５    膨出部
５ａ  挿通孔
６    係止部
６ａ  バネ部
６ｂ  バネ部
７    型抜き孔
８    掲示板保持部
９    係合孔
２０〜８０  掲示具（実施形態２〜８）
Ｆ    フック
Ｆ１  直線状部
Ｆ２  起立部
Ｈ    表示部材
Ｐ    掲示板又はカードホルダー
ア〜キ  矢印
α    角度
【図１】
2015085093.tif 000003
【図２】
2015085093.tif 000004
【図３】
2015085093.tif 000005
【図４】
2015085093.tif 000006
【図５】
2015085093.tif 000007
【図６】
2015085093.tif 000008
【図７】
2015085093.tif 000009
【図８】
2015085093.tif 000010